(57)【要約】【課題】ハウジングにバックキャビティと外部空間とを連通する通気路を有して音質向上が図れる構造でありながらも第三者に漏出音が聴取されにくいイヤホンを提供する。【解決手段】スピーカ(SP)を収容した本体部(1)を有し本体部(1)が耳甲介腔(ER1)に装着された装着姿勢で使用される。この装着姿勢において、本体部(1)は、頭部から離れる方向に突出する丘状部(6)と、丘状部(6)と耳甲介腔(ER1)の内壁(ＥＲ２)との間の丘状部(6)よりも頭部に近い位置に開口し本体部(1)の内部空間(BC)と外部空間とを連通する通気路(T)と、を有している。【選択図】図２
2013021591.tif 000002
【特許請求の範囲】
【請求項１】
スピーカと前記スピーカを収容した本体部とを有し、前記本体部が耳甲介腔に装着された装着姿勢で使用されるイヤホンであって、
前記装着姿勢において、
前記本体部は、
頭部から離れる方向に突出する丘状部と、
前記丘状部と前記耳甲介腔の内壁との間の前記丘状部よりも頭部に近い位置に開口し前記本体部の内部空間と外部空間とを連通する通気路と、
を有していることを特徴とするイヤホン。
【請求項２】
前記通気路の内側の面が、前記装着姿勢において、前記頭部から離れるに従って前記耳甲介腔の内壁に近づくように形成されていることを特徴とする請求項１記載のイヤホン。
【発明の詳細な説明】
【技術分野】
【０００１】
本発明は、イヤホンに係り、特に、使用者以外の第三者に聴取される漏出音の音量を低減することができるイヤホンに関する。
【背景技術】
【０００２】
ハウジング内にスピーカユニットを収納したイヤホンは、再生音質の向上のため、スピーカユニットの後面側の空間であるバックキャビティと外部の空間とを連通する貫通孔を設ける場合が多い。
これは、ある程度以上の開口面積を有する貫通孔であれば、その開口面積や貫通孔を通過する空気の抵抗を変えることで、再生音質を効率よく調整して向上させることができることによる。
【０００３】
このようなバックキャビティと外部空間とを連通する貫通孔を設けたハウジングを有するイヤホンの例が、特許文献１に記載されている。
【先行技術文献】
【特許文献】
【０００４】
【特許文献１】特開２０００−３４１７８４号公報
【発明の概要】
【発明が解決しようとする課題】
【０００５】
ところで、ハウジングに貫通孔を設けると、スピーカユニットからの音が外部に漏出する。
スピーカユニットからは後面側にも音が放出されているので、バックキャビティと外部の空間とを連通する貫通孔を設けても、漏出音が生じる。
このような貫通孔を有するイヤホンを、満員電車の中などのような第三者が近接した位置にいる環境で使用した場合、再生音量が大きいと漏出音が不快に聴取される場合がある。
漏出音を低減するためにハウジングの貫通孔を塞いだり、開口面積を小さくすると、再生音質の調整が困難となり、再生音質の向上が難しくなる。
市場からは、音質向上がなされていること、再生音量を上げても漏出音が第三者に不快に聴取されにくいこと、との両方を満たすイヤホンが望まれており、設計者らは鋭意改善に努力しているのが現状である。
【０００６】
そこで、本発明が解決しようとする課題は、ハウジングにバックキャビティと外部空間とを連通する貫通孔を有して音質向上が図れる構造でありながらも第三者に漏出音が聴取されにくいイヤホンを提供することにある。
【課題を解決するための手段】
【０００７】
上記の課題を解決するために、本願発明は次の構成を有する。
１）  スピーカ(SP)と前記スピーカ(SP)を収容した本体部(1)とを有し、前記本体部(1)が耳甲介腔(ER1)に装着された装着姿勢で使用されるイヤホン(51)であって、
前記装着姿勢において、
前記本体部(1)は、
頭部から離れる方向に突出する丘状部(6)と、
前記丘状部(6)と前記耳甲介腔(ER1)の内壁(ＥＲ２)との間の前記丘状部(6)よりも頭部に近い位置に開口し前記本体部(1)の内部空間(BC)と外部空間とを連通する通気路(T)と、
を有していることを特徴とするイヤホン(51)である。
２）  前記通気路(T)の内側の面(14K4)が、前記装着姿勢において、前記頭部から離れるに従って前記内壁(ER2)に近づくように形成されていることを特徴とする１）に記載のイヤホン(51)である。
【発明の効果】
【０００８】
本発明によれば、ハウジングにバックキャビティと外部空間とを連通する貫通孔を有して音質向上が図れる構造でありながらも第三者に漏出音が聴取されにくい、という効果が得られる。
【図面の簡単な説明】
【０００９】
【図１】本発明のイヤホンの実施例を説明するための外観斜視図である。
【図２】図１におけるＳ１−Ｓ１断面図である。
【図３】図１におけるＳ２−Ｓ２断面図である。
【図４】図１に対応した斜視的分解図である。
【図５】本発明のイヤホンの実施例における使用状態を説明するための斜視図である。
【図６】本発明のイヤホンの実施例における使用状態を説明するための断面図である。
【図７】本発明のイヤホンの実施例における変形例を説明するための模式図である。
【発明を実施するための形態】
【００１０】
本発明の実施の形態を、好ましい実施例により図１〜図７を用いて説明する。
【００１１】
図１は、本発明のイヤホンの実施例のイヤホン５１を示す外観斜視図である。
イヤホン５１は、いわゆるカナル型のイヤホンであり、左耳用のものである。イヤホンがステレオ対応の場合、左耳用と右耳用との一対を備え、両者は対称形状となる。
【００１２】
イヤホン５１は、筒状に突出した音筒部２を有する本体部１と、本体部１から延出したコード４と、を備えている。音筒部２には着脱可能にイヤーピース３が取り付けられる。
本体部１の内部には、スピーカユニットであるスピーカＳＰ（図１には図示せず）が収められている。コード４の本体部１内の端部は、スピーカＳＰに接続されている。
本体部１は、厚手の概ね円盤状に形成されている。本体部１は概ね円盤状につき、軸線ＣＬｈが設定される。
【００１３】
イヤホン５１は、左耳に装着した際に、外耳道内にイヤーピース３及び音筒部２の一部が挿入されると共に、本体部１が耳介ＥＲにおける耳甲介腔ＥＲ１内に収められる(図５，図６参照）。本体部１には、装着感を高めるため装着時に耳甲介腔の後方側の内壁ＥＲ２に先端が当接する突出部５が形成されている。
突出部５とコード４の延出位置とは、軸線ＣＬｈまわりに約１２０°ずれている。
【００１４】
イヤホン５１は、個人差もあるが、直立した人の左耳の耳甲介腔ＥＲ１に装着した際に、突出部５が概ね水平方向かやや下方に向くようになっている。以下、特に指定をしない場合、「装着姿勢」は、突出部５が概ね水平方向に位置する姿勢のことを意味する。
【００１５】
図２は、図１におけるＳ１−Ｓ１断面図である。すなわち、装着姿勢における突出部５位置での水平方向断面図である。
図３は、図１におけるＳ２−Ｓ２断面図である。すなわち、装着姿勢における本体部１の軸線ＣＬｈ位置での鉛直方向断面図である。
図４は、図１に対応した分解斜視図である。
図２〜図４において、ハウジング形状の理解容易のため、コード４のハウジング内の形状は概ね省略してある。
【００１６】
図２〜図４に示されるように、本体部１は、内ハウジング１１と外ハウジング１２とが組み合わされたハウジングである。
ここで、「内」「外」とは、装着姿勢で頭部側を内、反対側を外としている。以下、内と外との方向はこの定義に従う。
【００１７】
音筒部２は、内ハウジング１１の一部として形成されている。
スピーカＳＰは、内ハウジング１１の内面に放音部ＳＰａ側が覆われるように取り付けられている。
例えば、図２及び図３において二点鎖線で示される周面範囲ＡＲ１内で接着剤により接着固定されている。
内ハウジング１１は、硬質材料で形成されている。硬質材料は、例えばＡＢＳ（アクリロニトリル・ブタジエン・スチレン）樹脂，ＰＳ（ポリスチレン）樹脂，ＰＣ（ポリカーボネート）樹脂などの樹脂材料である。樹脂材料以外の硬質材料例として木、金属がある。
【００１８】
外ハウジング１２は、スピーカＳＰの後面部ＳＰｂ側（放音部ＳＰａ側とは反対側）を覆うように設けられ、複数層で構成されている。イヤホン５１では３層で構成されている。
具体的には、スピーカＳＰに近い側から、内層部１３，基層部１４，及び外層部１５である。
各層部１３〜１５は、互いに完全に覆い合うものに限らず、部分的には開放されて形成されていてもよい。
【００１９】
基層部１４は、内ハウジング１１と同じ材料又は剛性が近い硬質材料で形成されている。実施例では内ハウジング１１と同じＡＢＳ樹脂とされている。基層部１４に用いる硬質材料の他の例として、ＰＣ樹脂，ＰＳ樹脂，木，金属などがある。
内層部１３及び外層部１５は、基層部１４に用いた材料よりも軟らかい（剛性が低い）軟質材料で形成されている。内層部１３は基層部１４の内面に接触するように設けられ、外層部１５は基層部１４の外面に接触するように設けられている。内層部１３及び外層部１５の材料例は、ゴム，エラストマである。
内層部１３と外層部１５とは、同じ材質でもよく異なる材質でもよい。
すなわち、外ハウジング１２は、軟質材−硬質材−軟質材の組み合わせで構成されている。ここで、軟硬は、表面硬度ではなく剛性を意味する。
【００２０】
内ハウジング１１と外ハウジング１２との組み立てにおいては、基層部１４に、予め内層部１３と外層部１５とを係合等で組み付けておき、内層部１３及び外層部１５が組み付けられた基層部１４と内ハウジング１１とを、溶着又は接着により一体化する。
内層部１３及び外層部１５は、内ハウジング１１と基層部１４間とに挟持される部分を有しているので、この一体化により３つの層部１３〜１５と内ハウジング１１とは一体化される。
【００２１】
本体部１は、各図に示されるように、軸線ＣＬｈを含む所定の範囲が軸線ＣＬｈに沿って後方側に丘状に突出してなる丘状部６を有している。
実施例では丘状部６は、基層部１４の基底部１４ｂにより形成されている。
丘状部６は、装着姿勢において、頭部から離れる方向に突出して形成されている。
【００２２】
外層部１５は、基層部１４の外周面と接触してその一部を覆うように設けられている。
図１において、外層部１５は、中央に開口部１５ｃが形成されており、開口部１５ｃの周縁部から基層部１４の外周縁に向け延びる腕部１５ｂ２が、中心軸線ＣＬｈまわりに概ね１２０°ピッチで三箇所設けられている。
腕部１５ｂ２の内の、装着姿勢で水平方向に延在する腕部１５ｂ２（以下、水平腕部１５ｂ３とも称する）は、突出部５に滑らかに接続する形状で設けられている。
【００２３】
各腕部１５ｂ２には、孔部１５ｂ１が設けられている。図１において、孔部１５ｂ１は台形状を呈している。
水平腕部１５ｂ３の孔部１５ｂ１を除き、孔部１５ｂ１は、基層部１４のみが臨まれる開口部となっている。
水平腕部１５ｂ３の孔部１５ｂ１からは、基層部１４と基層部１４に設けられた貫通孔１４ｋとが臨まれる。図１において、貫通孔１４ｋは、概ね長方形に開口している。
【００２４】
図２において、外層部１５の孔部１５ｂ１は、その側面が軸線ＣＬｈに沿った面として形成されている。
貫通孔１４ｋは、丘状部６に近い側の側面１４ｋ１とそれに連接する側面１４ｋ２，１４ｋ３（図１も参照）が軸線ＣＬｈに沿った面とされ、丘状部６から遠い側の側面（側面１４ｋ１と対向する側面）１４ｋ４は、スピーカＳＰから離れるに従って軸線ＣＬｈから遠ざかる傾斜面として形成されている。
軸線ＣＬｈに対する傾斜角度は、例えば３５°である。
図２において、側面１４ｋ４を含む面の位置（ＬＮ１４で示される）は、外層部１５における孔部１５ｂ１の開口範囲内にあって外層部１５と干渉しないように設定されている。
【００２５】
貫通孔１４ｋに対応して内層部１３には貫通孔１３ｋが形成されている。
貫通孔１４ｋの奥側の開口範囲と貫通孔１３ｋの出口側（基層部１４側）の開口範囲とは対応して形状及び面積がほぼ一致している。
貫通孔１３ｋと貫通孔１４ｋと水平腕部１５ｂ３の孔部１５ｂ１とにより、外ハウジング１２の貫通孔１２ｋが形成されている。
貫通孔１２ｋは、スピーカユニットの後面側の空間であるバックキャビティＢＣと、外部空間とを連通する通気路Ｔとなっている。
【００２６】
図５は、イヤホン５１を左耳の耳介に装着した状態（装着姿勢）を示している。
図６は、図５におけるＳ５−Ｓ５断面図である。
【００２７】
図５及び図６に示されるように、イヤーピース３が外耳道ＧＤ内に挿入され本体部１が耳甲介腔ＥＲ１に、内壁ＥＲ２と対珠ＥＲ３との間に挟まるように収められたイヤホン５１の装着姿勢において、通気路Ｔは、軸線ＣＬｈを通る鉛直面よりも耳介ＥＲ側（頭部の後方側）に位置している。詳しくは、通気路Ｔは、軸線ＣＬｈを通る水平面に沿った位置にある。
ここで鉛直面は、図５において、紙面上下方向であり、図６において紙面の表裏方向である。
また、頭部に対する通気路Ｔの開口位置は、丘状部６と内壁ＥＲ２との間の丘状部６よりも頭部に近い位置にある。
【００２８】
これにより、通気路Ｔから外部に漏出した漏出音ＳＤの多くが耳介ＥＲの内壁ＥＲ２に当たって反射する（図６及び矢線ＹＳ参照）。
耳介ＥＲは柔らかいので、漏出音ＳＤの反射の際にエネルギーを吸収する。
従って、内壁ＥＲ２で反射した漏出音ＹＳは、直接聴取した場合とくらべ音量が低減している。
【００２９】
また、通気路Ｔは、丘状部６の近傍に形成されている。
これにより、通気路Ｔから耳介ＥＲとは反対側に放出された漏出音の多くが丘状部６に遮られて当たり、乱反射する。
従って、第三者に直接到達する漏出音ＳＤが少なくなり漏出音が不快に聴取されにくくなる。
【００３０】
通気路Ｔを形成する内側面の内の、軸線ＣＬｈから遠い側の側面１４ｋ４が、スピーカＳＰから離れるに従って軸線ＣＬｈから遠ざかる傾斜面として形成されている。換言すれば、装着姿勢において頭部から離れるに従って、軸線ＣＬｈから遠ざかる面として形成されている。
従って、通気路Ｔから放出される漏出音ＳＤの放出方向が耳介ＥＲ側に誘導される。
これにより、漏出音ＳＤの内、耳介ＥＲに到達して反射する分がより多くなる。
従って、第三者に聴取された際の漏出音ＳＤの音量がより低減する。
【００３１】
上述した実施例によれば、外ハウジング１２に、バックキャビティＢＣと外部空間とを連通する貫通孔１２ｋ、すなわち通気路Ｔを有しているので、音響特性の調整が効率よく行えるので音質向上が図り易い。
また、第三者に直接到達する漏出音が少ないので、第三者に漏出音が聴取されにくい。
また、放出された漏出音の内の一部が耳介ＥＲの内壁ＥＲ２に当たって反射するため、第三者が聴取する漏出音は、エネルギーが減少して音量が低減されたものになっている。
従って、第三者に漏出音が聴取されても不快に感じる可能性が少なくなっている。
【００３２】
本発明の実施例は、上述した構成に限定されるものではなく、本発明の要旨を逸脱しない範囲において変形例としてもよいのは言うまでもない。
【００３３】
ヘッドホン５１は、カナル型に限定されない。
ハウジングが耳介に装着されるものの、外耳道内に挿入する部分を持たないインナーイヤータイプのイヤホンにも適用できる。
【００３４】
丘状部６で反射した漏出音ＳＤが耳介ＥＲの内壁ＥＲ２により多く到達するように丘状部６の形状を変形してよい。
図７にその例を模式的に示す。図７は、装着姿勢のイヤホン５１を外方側から見た模式図であり、通気路Ｔ，丘状部６，耳介ＥＲの内壁ＥＲ２，対珠ＥＲ３，及び外ハウジングの概略外形のみ示している。
【００３５】
丘状部６における通気路Ｔ側の外面６ａを、凹面状に形成する。凹面の曲率は、通気路Ｔから丘状部６に向けて放出され外面６ａで反射した漏出音ＳＤが、内壁ＥＲ２に達するように設定される。
これにより、第三者に直接到達する漏出音ＳＤがより少なくなると共に、多くの漏出音ＳＤが耳介ＥＲで反射して減衰するので、第三者に聴取された際の漏出音ＳＤの音量がより低減する。
【００３６】
側面１４ｋ４は、傾斜せず軸線ＣＬｈに平行又は概ね沿う面として形成されていてもよいが、多くの漏出音ＳＤを耳介ＥＲに向け誘導する点で、上述のように傾斜していることが望ましい。
本体部１は内ハウジング１１と外ハウジング１２と二分割されたものに限らない。本体部１の構造は限定されるものではない。
丘状部６の形状は限定されない。通気路Ｔの開口部よりも外方側に突出していればよい。
また、通気路Ｔは、軸線ＣＬｈを含む部分でなくてもよい。例えば軸線ＣＬｈよりも耳介側の領域に設けられていてもよく、その丘状部６と耳介ＥＲとの間に通気路Ｔが開口していればよい。
従って、本体部１が軸線ＣＬｈが設定できない異形状のものであってもよい。
通気路Ｔは、一つ設けられているものに限らない。複数設けられていてもよい。
通気路Ｔは、完全に開放されているものに限らない。例えば、メッシュ部材，不織布部材，又はスポンジ状部材を介して通気されるものであってもい。
【符号の説明】
【００３７】
１  本体部（ハウジング）、２  音筒部、３  イヤーピース、４  コード
５  突出部、６  丘状部
１１  内ハウジング
１２  外ハウジング、１２ｋ  貫通孔
１３  内層部、１４  基層部、１５  外層部
１４ｂ  基底部、１４ｋ  貫通孔、１４ｋ１〜１４ｋ４  側面
１５ｂ  架橋部、１５ｃ  開口部、１５ｄ  突出部
１５ｂ１  孔部、１５ｂ２  腕部、１５ｂ３  水平腕部
５１  イヤホン
ＢＣ  バックキャビティ、ＣＬｈ  軸線
ＥＲ  耳介、ＥＲ１  耳甲介腔、ＥＲ２  内壁、ＧＤ  外耳道
ＳＤ，ＹＳ  漏出音
ＳＰ  スピーカＳＰａ  放音部、ＳＰｂ  後面部
Ｔ  通気路
【図１】
2013021591.tif 000003
【図２】
2013021591.tif 000004
【図３】
2013021591.tif 000005
【図４】
2013021591.tif 000006
【図５】
2013021591.tif 000007
【図６】
2013021591.tif 000008
【図７】
2013021591.tif 000009